(57)【要約】【課題】    本発明の目的は、ネットを土地に生育する樹木を利用して支持するようにした防獣ネットを提供するものである。【解決手段】    防獣ネットＮは、支柱１と支柱２の間にネット３を張って、鹿、イノシシ、たぬきなどの動物の侵入を防止する防獣ネットＮであって、支柱１、２は、防獣ネットＮが設置される土地に生育する樹木であり、ネット３が固定部材４により樹木（支柱１、２）に固定されているものである。【選択図】図１
2020065532.tif 000002
【特許請求の範囲】
【請求項１】
支柱と支柱の間にネットを張って、鹿、イノシシ、たぬきなどの動物の侵入を防止す
る防獣ネットであって、
前記支柱は、前記防獣ネットが設置される土地に生育する樹木であり、
前記ネットが固定部材により前記樹木に固定されている
ことを特徴とする防獣ネット。
【請求項２】
ネットは、下方に金網製ネット、上方に合成樹脂製ネットを有し、中途を前記金網製ネットと前記合成樹脂製ネットが重なるように配置している
ことを特徴とする請求項１記載の防獣ネット。
【請求項３】
固定部材は、弾性部材で形成されている
ことを特徴とする請求項１記載の防獣ネット。
【請求項４】
固定部材は、少なくとも、樹木の外周に沿う環状部を有すると共に、弾性部材で形成
されている
ことを特徴とする請求項１記載の防獣ネット。
【請求項５】
支柱と支柱の間にネットを張って、鹿、イノシシ、たぬきなどの動物の侵入を防止す
る防獣ネットの設置方法であって、
前記支柱は、前記防獣ネットが設置される土地に生育する樹木であり、
下方に帯状の金網製ネットを前記樹木を支柱として張る第１の張る工程と、この第１の張る工程の後、帯状の合成樹脂製ネットの下方を前記金網製ネットに重ねて、前記金網製ネットの上に前記合成樹脂製ネットを前記樹木を支柱として貼る第２の張る工程とを有する
ことを特徴とする防獣ネットの設置方法。
【請求項６】
第１の張る工程において、金網製ネットを金網製ネット用固定部材で樹木に固定する際、前記樹木に合成樹脂製ネット用固定部材を仮止めする
ことを特徴とする請求項５記載の防獣ネットの設置方法。
【発明の詳細な説明】
【技術分野】
【０００１】
本発明は、防獣ネットに係り、特に、ネットを土地に生育する樹木を利用して支持す
るようにした防獣ネットに関する。
【背景技術】
【０００２】
従来、支柱と支柱の間にネットを張って、鹿、イノシシ、たぬきなどの動物の侵入を
防止する防獣ネットがある（例えば、特許文献参照）。
【先行技術文献】
【特許文献】
【０００３】
【特許文献１】特開2017-184711号公報
【発明の概要】
【発明が解決しようとする課題】
【０００４】
そのため、支柱、ネット等を設置部位である山間部へ運ばねばならないと共に、支柱
を設置部位へ打ち込む作業をも伴い使用勝手が良好でないという問題点があった。
【０００５】
本発明は、ネットを土地に生育する樹木を利用して支持することに着目してなされた
防獣ネットを提供することを目的とする。
【課題を解決するための手段】
【０００６】
請求項１記載の防獣ネットは、支柱と支柱の間にネットを張って、鹿、イノシシ、た
ぬきなどの動物の侵入を防止する防獣ネットであって、前記支柱は、前記防獣ネットが設
置される土地に生育する樹木であり、前記ネットが固定部材により前記樹木に固定されて
いるものである。
【０００７】
また、請求項２記載の防獣ネットは、請求項１記載の防獣ネットにおいて、ネットは、下方に金網製ネット、上方に合成樹脂製ネットを有し、中途を前記金網製ネットと前記合成樹脂製ネットが重なるように配置しているものである。
【０００８】
また、請求項３記載の防獣ネットは、請求項１記載の防獣ネットにおいて、固定部材
は、弾性部材で形成されているものである。
【０００９】
また、請求項４記載の防獣ネットは、請求項１記載の防獣ネットにおいて、固定部材
は、少なくとも、樹木の外周に沿う環状部を有すると共に、弾性部材で形成されているも
のである。
【００１０】
また、請求項５記載の防獣ネットの設置方法は、支柱と支柱の間にネットを張って、鹿、イノシシ、たぬきなどの動物の侵入を防止する防獣ネットの設置方法であって、前記支柱は、前記防獣ネットが設置される土地に生育する樹木であり、下方に帯状の金網製ネットを前記樹木を支柱として張る第１の張る工程と、この第１の張る工程の後、帯状の合成樹脂製ネットの下方を前記金網製ネットに重ねて、前記金網製ネットの上に前記合成樹脂製ネットを前記樹木を支柱として貼る第２の張る工程とを有するものである。
【００１１】
また、請求項６記載の防獣ネットの設置方法は、請求項５記載の防獣ネットの設置方法において、第１の張る工程において、金網製ネットを金網製ネット用固定部材で樹木に固定する際、前記樹木に合成樹脂製ネット用固定部材を仮止めするものである。
【発明の効果】
【００１２】
請求項１記載の防獣ネットによれば、ネットを支持する部材を土地に生育する樹木を
利用して支柱とするため、従来、生じていた杭等の支柱が不要となると共に、杭等の支柱
を設置現場へ搬送することも、地面に打ち込む作業をも不要とすることができ、防獣ネッ
トの作業性の向上を図ることができる。
【００１３】
また、請求項２記載の防獣ネットによれば、下方に金網製ネット、上方に合成樹脂製ネットを有し、中途を前記金網製ネットと前記合成樹脂製ネットが重なるように配置しているため、下方を例えば、イノシシ、上方を例えば、シカに対応して防御でき、しかも、ネット全体を金網製ネットとしたものに比べ、費用を安くできる。
【００１４】
また、請求項３記載の防獣ネットによれば、上述した請求項１記載の発明の効果に加
え、固定部材は、弾性部材で形成されているため、樹木が成長しても、固定部材が伸びて
樹木の成長を阻害することを防ぐことができる。
【００１５】
また、請求項４記載の防獣ネットによれば、上述した請求項１記載の発明の効果に加
え、固定部材は、少なくとも、樹木の外周に沿う環状部を有すると共に、弾性部材で形成
されているため、樹木が成長しても、固定部材が伸びて樹木の成長を阻害することを防ぐ
ことができる。
【００１６】
また、請求項５記載の防獣ネットの設置方法によれば、下方に帯状の金網製ネットを前記樹木を支柱として張る第１の張る工程と、この第１の張る工程の後、帯状の合成樹脂製ネットの下方を前記金網製ネットに重ねて、前記金網製ネットの上に前記合成樹脂製ネットを前記樹木を支柱として張る第２の張る工程とを有するため、下方を例えば、イノシシ、上方を例えば、シカに対応して防御でき、しかも、ネット全体を金網製ネットとしたものに比べ、費用を安くでき、更に、張る作業を分割できるため、帯状の金網製ネット、帯状の合成樹脂製ネットを効率良く張ることができる。
【００１７】
また、請求項６記載の防獣ネットの設置方法によれば、上述した請求項５記載の発明の効果に加え、第１の張る工程において、金網製ネットを金網製ネット用固定部材で樹木に固定する際、前記樹木に合成樹脂製ネット用固定部材を仮止めするため、第２の張る工程の作業性を効率良く行うことができる。
【図面の簡単な説明】
【００１８】
【図１】図１は、本発明の一実施例の防獣ネットを撮影した写真である。
【図２】図２は、図１の防獣ネットの一部に接近して撮影した写真である。
【図３】図３は、図１の防獣ネットのネットを樹木に固定部材により固定されている状態を撮影した写真である。
【図４】図４は、図１の防獣ネットと異なる他の実施例の防獣ネットを山側と反対側から撮影した写真である。
【図５】図５は、図４の防獣ネットを境界側から撮影した写真である。
【図６】図６は、図４の防獣ネットのネットを樹木に固定部材により固定されている状態を撮影した写真である。
【図７】図７は、図１の防獣ネットと異なる他の防獣ネットを撮影した写真である。
【図８】図８は、図７の防獣ネットの一部に接近して撮影した写真である。
【図９】図９は、図７の防獣ネットの一部に接近して撮影した写真である。
【図１０】図１０は、図７の防獣ネットの一部に接近して撮影した写真である。
【図１１】図１１は、図７の防獣ネットの一部に接近して撮影した写真である。
【図１２】図１２は、図７の概略的側面図である。
【図１３】図１３は、図１の防獣ネットに使用する固定部材を分解して示す写真である。
【図１４】図１４は、図１３の一部である結束部材を撮影した写真である。
【図１５】図１５は、図１３の弾性部材（弾性ロープ）に結束部材を装着状態を撮影した写真である。
【図１６】図１６は、図１５の結束部材を図１５の矢印方向に移動させた状態を撮影した写真である。
【発明を実施するための形態】
【００１９】
本発明の一実施例の防獣ネットを図面（図１乃至図３）を参照して説明する。
図１に示すＮは、支柱（樹木）１と支柱（樹木）２の間にネット３を張って、鹿、イ
ノシシ、たぬきなどの動物の侵入を防止する防獣ネットである。
【００２０】
支柱１、２は、防獣ネットＮが設置される土地に生育する樹木であり、ネット３が固
定部材［固定は、例えば、弾性部材（例えば、ゴム）ネット３に通して、支柱１（２）に
縛り固定したものである。］４により樹木１、２に固定されている。
【００２１】
なお、 図５［図４乃至図６の実施例は、図１乃至図３と異なる他の実施例の防獣ネッ
トＮで、図１乃至図３と同一符号を付して、その説明を省略している。］に示すように、
垂下するネット３の下方部３Ａを折って、山側に沿わせるように設置すれば、鹿、イノシ
シ、たぬきなどの動物の足がネット３に絡むため、動物がネット３に近づくのを嫌がり、
動物の侵入を防止することができる。
【００２２】
従って、上述した防獣ネットＮによれば、ネット３を支持する部材を土地に生育する
樹木を利用して支柱１、２とするため、従来、生じていた杭等の支柱が不要となると共に
、杭等の支柱を設置現場へ搬送することも、地面に打ち込む作業をも不要とすることがで
き、防獣ネットＮの作業性の向上を図ることができる。
【００２３】
固定部材４は、弾性部材（例えば、ゴム）で形成されているため、樹木１、２が成長
しても、固定部材４が伸びて樹木１、２の成長を阻害することを防ぐことができる。
【００２４】
固定部材４は、ネット３を樹木１、２に結束等して固定するもので、例えば、図３に
示すように、少なくとも、樹木１（２）の外周に沿う環状部を有すると共に、弾性部材で
形成されているため、樹木１（２）が成長しても、固定部材４が伸びて樹木の成長を阻害
することを防ぐことができる。
【００２５】
上述したネット３は、合成樹脂製ネット又は金網製ネットでも良いが、次に述べる実施例（図７乃至図１２）の防獣ネットＮ のネット３は、下方に金網製ネット３’、上方に合成樹脂製ネット３”を有し、中途を金網製ネット３’と合成樹脂製ネット３”が重なるように配置するようにしている。
金網製ネット３’は、例えば、硬鋼線材で作製されたワイヤーからなる菱形金網である。
【００２６】
この防獣ネットＮによれば、下方に金網製ネット３’、上方に合成樹脂製ネット３”を有し、中途を金網製ネット３’と合成樹脂製ネット３”が重なるように配置しているため、下方を例えば、イノシシ、上方を例えば、シカに対応して防御でき、しかも、ネット３全体を金網製ネットとしたものに比べ、費用を安くできる。
【００２７】
上述の防獣ネットＮの設置方法は、下方に帯状の金網製ネット３’を樹木１、２を支柱として張る第１の張る工程（図１１参照）と、この第１の張る工程の後、帯状の合成樹脂製ネット３”の下方を金網製ネット３’に重ねて、金網製ネット３’の上に合成樹脂製ネット３”を樹木１、２を支柱として張る第２の張る工程とを有して、行われる。
なお、金網製ネット３’、合成樹脂製ネット３”を張る場合、金網製ネット３’、合成樹脂製ネット３”は、固定部材４により樹木１、２に固定されるが、固定部材４は、望ましくは、上述と同様、弾性部材（例えば、ゴム）であり、また、金網製ネット３’と合成樹脂製ネット３”が重なる部分は、図示しない結束バンドで結合している。
【００２８】
上述の 防獣ネットの設置方法によれば、下方に帯状の金網製ネットを前記樹木を支柱として貼る第１の張る工程と、この第１の張る工程の後、帯状の合成樹脂製ネットの下方を前記金網製ネットに重ねて、前記金網製ネットの上に前記合成樹脂製ネットを前記樹木を支柱として張る第２の張る工程とを有するため、下方を例えば、イノシシ、上方を例えば、シカに対応して防御でき、しかも、ネット全体を金網製ネットとしたものに比べ、費用を安くでき、更に、張る作業を分割できるため、帯状の金網製ネット、帯状の合成樹脂製ネットを効率良く張ることができる。
【００２９】
第１の張る工程において、金網製ネット３’を金網製ネット用固定部材４で樹木１に固定する際、樹木１に合成樹脂製ネット用固定部材４を仮止めするようにすると、第２の貼る工程の作業性を効率良く行うことができる。
【００３０】
固定部材４は、一本の弾性部材（弾性ロープ）を支柱１、２に巻き付け、結束させても良いが、例えば、図１３乃至図１６に示すように、弾性部材（弾性ロープ）４１、結束部材４２を有し（図１３及び図１４参照）、弾性部材（弾性ロープ）４１を結束部材４２に通し（図１５参照）、結束部材４２を図１５に示す矢印方向に移動させて、支柱１、２の太さに対応することができる。
【符号の説明】
【００３１】
Ｎ      防獣ネット
１      支柱（樹木）
２      支柱（樹木）
３      ネット
４      固定部材
【図１】
2020065532.tif 000003
【図２】
2020065532.tif 000004
【図３】
2020065532.tif 000005
【図４】
2020065532.tif 000006
【図５】
2020065532.tif 000007
【図６】
2020065532.tif 000008
【図７】
2020065532.tif 000009
【図８】
2020065532.tif 000010
【図９】
2020065532.tif 000011
【図１０】
2020065532.tif 000012
【図１１】
2020065532.tif 000013
【図１２】
2020065532.tif 000014
【図１３】
2020065532.tif 000015
【図１４】
2020065532.tif 000016
【図１５】
2020065532.tif 000017
【図１６】
2020065532.tif 000018